(57)【特許請求の範囲】
【請求項１】
取付基板に形成されているとともにガイドシャフトの一端に形成されている小径部が挿入される軸穴が形成されている第１支持板と、前記取付基板に形成されているとともに前記ガイドシャフトの他端に形成されている支持部が挿入される支持穴が形成され、且つ外部と該支持穴とを連結するとともに該支持穴の径より短い幅のガイド溝が形成されている第２支持板とより成り、前記支持部にガイドシャフトの径より小径で、且つ前記ガイド溝を通過する第１小径部と前記支持穴に挿入される挿入径部及び該挿入径部に形成されているとともに抜け止めリングが嵌合される第２小径部を形成したことを特徴とするガイドシャフト固定装置。
【請求項２】
第１小径部より挿入径部に連接する部分にテーパー部を形成したことを特徴とする請求項１に記載の固定装置。
【請求項３】
ガイド溝の挿入部にテーパー部を形成したことを特徴とする請求項１に記載の固定装置。
【請求項４】
支持部の端部に支持穴より大径の位置規制部を形成したことを特徴とする請求項１に記載の固定装置。
【発明の詳細な説明】
【０００１】
【発明の属する技術分野】
本発明は、ディスクに記録されている信号を読み取る光ピックアップの移動をガイドするガイドシャフトの固定装置に係る。
【０００２】
【従来の技術】
光ピックアップを用いてディスクに記録されている信号の読み取り動作を光学的に行う光学式ディスクプレーヤーが普及しているが、斯かる光ピックアップは、ディスクの径方向へ電動機の回転駆動力によって移動されるように構成されている。そして、斯かる光ピックアップは、ディスクに記録されている信号を正確に読み出す必要があるため、ディスクの径方向への移動を精度良く行う必要があり、一般には固定基板に固定されているガイドシャフトによって移動動作がガイドされるように構成されている。斯かるガイドシャフトの固定装置としては、例えば特開平７−５７４０４号公報に記載されたものがある。
【０００３】
【発明が解決しようとする課題】
光学式ディスクプレーヤーとしては、ＣＤプレーヤーが一般に多く普及しているが、斯かるＣＤプレーヤーの中には、音楽等の信号を再生聴取するオーディオ用のプレーヤーとコンピューターと組み合わせて使用されるＣＤ−ＲＯＭプレーヤーがある。
【０００４】
光学式ピックアップはガイドシャフトによってディスクの径方向へ移動されるように構成されており、その駆動機構としてガイドシャフトに支持されている光学式ピックアップと一体的に移動されるラック歯車が設けられている移動体を設け、そのラック歯車に噛み合う歯車によって移動体を移動させるように構成されたものがある。斯かる構成の駆動機構では移動体にガイドシャフトを挿入させた状態のままで、ガイドシャフトの取付固定を行うことになるが、ガイドシャフトの固定は樹脂部品にて行ったり、ネジの締め付けによって行う方式が一般的である。斯かる方式によるガイドシャフトの固定装置は、価格が高い、また作業性が悪いという問題がある。
【０００５】
本発明は、斯かる問題を解決したガイドシャフト固定装置を提供しようとするものである。
【０００６】
【課題を解決するための手段】
本発明の固定装置は、取付基板に形成されているとともにガイドシャフトの一端に形成されている小径部が挿入される軸穴が形成されている第１支持板と、前記取付基板に形成されているとともに前記ガイドシャフトの他端に形成されている支持部が挿入される支持穴が形成され、且つ外部と該支持穴とを連結するとともに該支持穴の径より短い幅のガイド溝が形成されている第２支持板とより成り、前記支持部にガイドシャフトの径より小径で、且つ前記ガイド溝を通過する第１小径部と前記支持穴に挿入される挿入径部及び該挿入径部に形成されているとともに抜け止めリングが嵌合される第２小径部を形成したものである。
【０００７】
【実施例】
図１は本発明の固定装置を示す要部の側面図、図２はガイドシャフトを示す側面図、図３は本発明を構成する第１支持板を示す正面図、図４は本発明を構成する第２支持板を示す正面図である。
【０００８】
１はディスクを回転駆動する電動機等が組み込まれている取付基板であり、第１支持板２及び第２支持板３が形成されている。前記第１支持板２には、図３に示すように軸穴４が形成され、第２支持板３には、図４に示すように支持穴５及び該支持穴５と外部とを連結するとともに前記支持穴５の径よりも短い幅のガイド溝６が形成されている。また、前記ガイド溝６の外部からの挿入部にはテーパー部６Ａ及び６Ｂが形成されている。
【０００９】
７は光学式ピックアップ（図示せず）を支持するピックアップ支持部材（図示せず）が摺動可能に取付られるガイドシャフトであり、円柱状に形成されている。８は前記ガイドシャフト７の一方の端部に形成されているとともに前記第１支持板２に形成されている軸穴４に挿入される小径部、９は前記ガイドシャフト７の他方の端部に形成されている支持部であり、前記ガイドシャフト７の大径部であるピックアップ支持部７Ａと連接して設けられているとともに前記第２支持板３に形成されているガイド溝６の幅より短い径の第１小径部９Ａ、前記第２支持板３に形成されている支持穴５に挿入される挿入径部９Ｂ、該挿入径部９Ｂに形成されているとともにＥリングと呼ばれる抜け止めリング１０が嵌合される第２小径部９Ｃ及び大径の位置規制部９Ｄが形成されている。また、前記第１小径部９Ａより挿入径部９Ｂに連接する部分にはテーパー部９Ｅが形成されている。
【００１０】
以上の如く本発明のガイドシャフト固定装置は構成されているが、次にガイドシャフト７の取付基板１に対する固定動作について説明する。
【００１１】
図１において、ガイドシャフト７にピックアップ支持部材を取り付けた状態のままで、該ガイドシャフト７を上方よりガイドシャフト７の第１小径部９Ａを第２支持板３に形成されているガイド溝６に挿入させるべく下方へ移動させる。斯かる操作を行うことによってガイドシャフト７の挿入径部９Ｂが第２支持板３に形成されている支持穴５に挿入可能な位置になるとともに小径部８が第１支持板２に形成されている軸穴４に挿入可能な位置になる。
【００１２】
斯かる位置にガイドシャフト７を移動させた状態のままで、該ガイドシャフト７を矢印Ａ方向へ移動させると、前記小径部８が第１支持板２に形成されている軸穴４に挿入されるとともに挿入径部９Ｂが第２支持板３に形成されている支持穴５に挿入される。そして、前記ガイドシャフト７を矢印Ａ方向へ移動させると位置規制部９Ｄが第２支持板３の平面部３Ａにに当接した状態になり、該ガイドシャフト７の位置決めを行う。斯かる位置にガイドシャフト７が移動すると、該ガイドシャフト７に形成されている第２小径部９Ｃが図１に示した位置に移動することになるので、該第２小径部９Ｃに抜け止めリング１０を嵌合させる。
【００１３】
図１は、斯かる組立動作を行った状態を示すものであり、前記ガイドシャフト７は、前記第１支持板２及び第２支持板３によって支持された状態になるとともに位置規制部９Ｄ及び抜け止めリング１０によって矢印Ａ及び矢印Ｂ方向への変位を規制された状態になる。
【００１４】
以上に説明した動作によってガイドシャフト７の取付基板１への固定動作は行われるが、前述した動作の反対の動作を行えば、前記ガイドシャフト７の取り外し動作を行うことが出来る。
【００１５】
また、ガイド溝６の外部からの挿入部にテーパー部６Ａ、６Ｂを形成したので、ガイドシャフト７に形成されている第１小径部９Ａの前記ガイド溝６への挿入動作を円滑に行うことが出来る。そして、第１小径部９Ａより挿入径部９Ｂに連接する部分にテーパー部９Ｅを形成したので、前記ガイドシャフト７の軸方向への移動動作を円滑に行うことが出来る。
【００１６】
【発明の効果】
本発明のガイドシャフト固定装置は、取付基板に形成されているとともにガイドシャフトの一端に形成されている小径部が挿入される軸穴が形成されている第１支持板と、前記取付基板に形成されているとともに前記ガイドシャフトの他端に形成されている支持部が挿入される支持穴が形成され、且つ外部と該支持穴とを連結するとともに該支持穴の径より短い幅のガイド溝が形成されている第２支持板とを設け、前記支持部にガイドシャフトの径より小径で、且つ前記ガイド溝を通過する第１小径部と前記支持穴に挿入される挿入径部及び該挿入径部に形成されているとともに抜け止めリングが嵌合される第２小径部を形成したので、簡単な作業によってガイドシャフトの固定を行うことが出来る。また、樹脂部品等の特別な固定部材を使用しないので、安価にて製造することが出来る。
【００１７】
また、本発明は、ガイドシャフトの支持部に形成されている第１小径部より挿入径部に連接する部分にテーパー部を形成したので、前記ガイドシャフトの軸方向への移動動作を円滑に行うことが出来、その結果取付作業を容易に行うことが出来る。
【００１８】
そして、本発明は、第２支持板に形成されているガイド溝の外部からの挿入部にテーパー部を形成したので、ガイドシャフトに形成されている第１小径部の前記ガイド溝への挿入動作を円滑に行うことが出来る。
【００１９】
また、本発明は、ガイドシャフトの支持部の端部に支持穴より大径の位置規制部を形成したので、該ガイドシャフトの位置決めを抜け止めリングとの作用によって正確にすることが出来る。
【図面の簡単な説明】
【図１】本発明の固定装置を示す要部の側面図である。
【図２】本発明に係るガイドシャフトを示す側面図である。
【図３】本発明を構成する第１支持板を示す正面図である。
【図４】本発明を構成する第２支持板を示す正面図である。
【符号の説明】
１        取付基板
２        第１支持板
３        第２支持板
４        軸穴
５        支持穴
６        ガイド溝
７        ガイドシャフト
８        小径部
９        支持部
９Ａ        第１小径部
９Ｂ        挿入径部
９Ｃ        第２小径部
９Ｄ        位置規制部
１０        抜け止めリング
【図１】
0003639458.tif 000002
【図２】
0003639458.tif 000003
【図３】
0003639458.tif 000004
【図４】
0003639458.tif 000005